(57)【要約】  【目的】故障発生に至る入力操作の過程が判る故障状態確認機能付オーディオ・ビジュアル装置を提供する。  【構成】入力装置への入力操作に一対一に対応する入力コードａ、・・と、繰り返し入力操作を特定する繰り返し入力コードａ′、・・と、入力操作の結果である正常遷移後の状態に対応する状態コードＡ、・・と、故障状態を特定する故障コードＥＲ１、・・と、を設け、入力操作が行われた場合に入力コード又は繰り返し入力コードと、状態コード又は故障検出後の当該故障コードと、を生成して各々不揮発性メモリ２０の入力コード記録エリア２１と状態コードエリア２２に記録する履歴記録手段と、故障状態検出手段と、故障状態発生時又は繰り返し入力操作時に新たな入力操作に対する記録を中止する記録中止手段と、前記不揮発性メモリ２０に記録された最新の入力コード又は繰り返し入力コードと状態コード又は故障コードの表示手段と、を備える。【選択図】  図１
2005092277.tif 000002
【特許請求の範囲】
【請求項１】
外部から入力装置への複数種の入力操作に一対一に対応する入力コードと、外部から所定時間内に２回以上繰り返して同じ入力操作が行われた時の当該繰り返し入力操作を特定する繰り返し入力コードと、前記入力操作の結果である装置本体の正常遷移後の状態に対応する状態コードと、装置本体が正常に動作しない故障状態を特定する故障コードと、を設け、前記入力装置への入力操作が行われた場合に前記入力コード又は前記繰り返し入力コードと、正常遷移後の状態コード又は故障検出後の当該故障コードと、を生成するとともに一対一に対応させて各々不揮発性メモリの入力コード記録エリアと状態コードエリアにサイクリックに記録する履歴記録手段と、
故障状態が発生した場合にこれを検出する故障状態検出手段と、
故障状態が発生した時又は外部から所定時間内に繰り返し同じ入力操作が行われた時に、以後の新たな入力操作に対する前記入力コードと繰り返し入力コードと状態コードと故障コードの前記不揮発性メモリへの記録を中止する記録中止手段と、
前記不揮発性メモリに記録された最新の入力コード又は繰り返し入力コードと状態コード又は故障コードを表示装置に文字表示する表示手段と、
を備えることを特徴とする故障状態確認機能付オーディオ・ビジュアル装置。
【発明の詳細な説明】
【技術分野】
【０００１】
本発明は、車載用や家庭用のコンパクトディスク（ＣＤ）やミニディスク（ＭＤ）再生装置等のオーディオシステム或いは車載用ナビゲーションシステム等のオーディオ・ビジュアル（ＡＶ）装置の分野に関し、特に、前記ＡＶ装置に発生する故障状態をコード化して確認可能にする故障状態確認機能の技術に関する。
【背景技術】
【０００２】
従来より、ＲＯＭ等の外部不揮発性メモリに、発生が予想される各種の故障原因に対応した特定のコード（一般にエラーコードと称される。）を予め設定して記録しておき、オーディオ・ビジュアル装置に故障が発生して正常に動作できない故障状態になった時に、故障状態検出手段によって当該故障原因或いは故障箇所を検知し、当該故障原因或いは故障箇所に対応するエラーコードを前記外部不揮発性メモリから読み出して液晶等の表示装置に「Ｅ１２」といった文字で表示するようにシステムコントローラのマイクロコンピュータが制御するという故障状態確認手段を備えるオーディオ・ビジュアル装置がある。
【０００３】
例えば、下記［特許文献１］には、複数の回路ブロックで構成される電子機器で故障が発生したときに、その故障がいずれの回路ブロックで発生したかを監視して、故障の発生を検知したときに、当該故障が発生したブロックに応じた表示態様で表示素子を用いて表示する機能を備えた電子機器の技術が開示されている。
【０００４】
【特許文献１】特開平１０−２６８８５０号公報。
【発明の開示】
【発明が解決しようとする課題】
【０００５】
しかしながら、オーディオ・ビジュアル装置を含む従来の各種電子機器における故障状態確認機能は、単に特定の故障原因或いは故障箇所をエラーコードで表示するものである。
【０００６】
ところが、オーディオ・ビジュアル装置が正常に動作している場合であっても、不慣れな使用者が入力操作を誤って、故障だと勘違いしてしまう場合がしばしば発生する。
【０００７】
そこで、故障状態に至る使用者による入力操作の過程、即ち、使用者が行った入力操作に対して装置本体がどのような結果となったか（遷移後の状態）を当該入力操作と対応させて一対に表示できるようにすることは、故障原因の解明に有益と考えられる。
【０００８】
即ち、使用者の入力操作に対応させた入力コードを設定するとともに、この入力操作による結果（遷移後の状態）をコード化して、前記入力コードと遷移後の結果の状態コードを対応させて外部不揮発性メモリに記録させる手段と、それらを表示する手段を設けることにより、表示された入力操作コードと状態コードを対比することで故障発生に至る使用者の入力操作を特定でき、真の故障発生なのか、使用者の故障したとの勘違いによるものなのかが容易に判ることになる。
【０００９】
唯、使用者の勘違いの場合に、通常、使用者は同じ入力操作を繰り返し、さらには他の入力操作（種々の当該入力操作に関係のないボタンまでも押し回してしまう。）を行ってしまうことが多い。
【００１０】
これでは故障解析を行う前に、記録された最新の入力コードが変わってしまうので、故障状態に至った使用者の入力操作の過程が明確にできず、本当に故障状態なのか使用者の誤認識かを判別することが難しくなる。
【００１１】
本発明は上記事情に鑑みてなされたものであり、使用者の入力操作とその結果である遷移後の状態を入力コードと状態コードとして一対に記録して表示するとともに使用者が動作に疑問を持ったことを推測できるようにして、確実に故障状態が発生した使用者の入力操作の過程を特定できるようにした故障状態確認機能付オーディオ・ビジュアル装置を提供することを目的とする。
【課題を解決するための手段】
【００１２】
本発明は、外部から入力装置への複数種の入力操作に一対一に対応する入力コードと、外部から所定時間内に２回以上繰り返して同じ入力操作が行われた時の当該繰り返し入力操作を特定する繰り返し入力コードと、前記入力操作の結果である装置本体の正常遷移後の状態に対応する状態コードと、装置本体が正常に動作しない故障状態を特定する故障コードと、を設け、前記入力装置への入力操作が行われた場合に前記入力コード又は前記繰り返し入力コードと、正常遷移後の状態コード又は故障検出後の当該故障コードと、を生成するとともに一対一に対応させて各々不揮発性メモリの入力コード記録エリアと状態コードエリアにサイクリックに記録する履歴記録手段と、故障状態が発生した場合にこれを検出する故障状態検出手段と、故障状態が発生した時又は外部から所定時間内に繰り返し同じ入力操作が行われた時に、以後の新たな入力操作に対する前記入力コードと繰り返し入力コードと状態コードと故障コードの前記不揮発性メモリへの記録を中止する記録中止手段と、前記不揮発性メモリに記録された最新の入力コード又は繰り返し入力コードと状態コード又は故障コードを表示装置に文字表示する表示手段と、を備えることを特徴とする故障状態確認機能付オーディオ・ビジュアル装置を提供することにより、上記課題を達成する。
【発明の効果】
【００１３】
本発明に係る故障状態確認機能付オーディオ・ビジュアル装置は、上記のように構成されているため、
（１）使用者の入力操作とその結果である遷移後の状態が一対に不揮発性メモリに記録されるので、故障発生に至る過程を特定できる。
（２）使用者が故障であると認識した現象に至る直前の入力操作と遷移後の状態がコード化されて表示されるため、故障解析時に故障原因に至る使用者の操作内容が判り、使用者の勘違いか真の故障なのかが容易に識別できる。
【発明を実施するための最良の形態】
【００１４】
本発明に係る故障状態確認機能付オーディオ・ビジュアル装置の実施の形態について図面に基づいて説明する。
【００１５】
図１は本発明の故障状態確認機能付オーディオ・ビジュアル装置の典型としての故障状態確認機能付ＭＤ記録再生装置のブロック回路図の例である。図２は本発明に係る故障状態確認機能の具体的形態のフローチャート例である。図３は不揮発性メモリへの記録内容を説明するための図である。
【００１６】
図１において、本発明の故障状態確認機能付ＭＤ記録再生装置３０は、公知のＭＤ記録再生装置と同様のブロックで構成され、加えて、故障状態が発生した場合にこれを検出する故障状態検出手段１９、入力コードや状態コード等を記録する不揮発性メモリ２０、コンピュータ制御により故障状態が発生した時又は外部から所定時間（例えば５秒間）内に繰り返し同じ入力操作が行われた時に、以後の新たな入力操作に対する入力コードと繰り返し入力コードと状態コードと故障コードの前記不揮発性メモリ２０への記録を中止する記録中止手段と、コンピュータ制御により前記不揮発性メモリ２０に記録された最新の入力コード又は繰り返し入力コードと状態コード又は故障コードを表示装置１７に文字表示する表示手段と、を備える構成である。
【００１７】
以下詳述すると、ＭＤ１に記録されたディジタルオーディオ信号を再生する場合は、ターンテーブル上でスピンドルモータ５によって回転するＭＤ１のカートリッジ１ａ内に収納された光磁気ディスク１ｂの圧縮されたディジタルオーディオ信号データを光ピックアップ２で読み出し、ヘッドアンプ３（ＲＦマトリクスアンプ）を通って、ＥＦＭ／ＣＩＲＣのエンコーダ／デコーダ１０に加えてＥＦＭとＣＩＲＣの復調を行う。また、アドレスデコーダ４は予めディスク１ｂに記録されているＡＤＩＰ信号を復調してアドレス信号を得てＥＦＭ／ＣＩＲＣのエンコーダ／デコーダ１０に入力する。耐震用メモリコントローラ１１はＥＦＭ／ＣＩＲＣのエンコーダ／デコーダ１０からの圧縮データをバッファメモリ（ＤＲＡＭ）等のメモリ回路１４に蓄積するほか、セクターフォーマット信号のエンコード／デコード、メインデータのエラーデータ、バッファ制御、外部入出力制御などのデータ制御機能を備える。次に、ＡＴＲＡＣのエンコーダ／デコーダ１２では、圧縮データを読み出して伸長回路に入力しデータを復調し、復調したデータをディジタル−アナログ変換器１６（ＤＡＣ）へ送りアナログオーディオ信号に変換する。この変換されたアナログオーディオ信号はオーディオ信号出力端子ＯＵＴへ出力される。次に、ＭＤ１にオーディオ信号を記録する場合は、オーディオ信号入力端子ＩＮから入力したアナログオーディオ信号をアナログ−ディジタル変換器（ＡＤＣ）１５でディジタルデータに変換、もしくは図示されない再生装置にて読み取ったＣＤ等のディジタルデータをディジタル入力端子ＤＩＮから入力し、さらにＡＴＲＡＣのエンコーダ／デコーダ１２にて圧縮データに変換して、耐震用メモリコントローラ１１を介してメモリ回路１４に格納する。メモリ回路１４の格納量が一定の量に達した後、格納された圧縮データをＭＤ１に記録する。即ち、メモリ回路１４からの圧縮データを耐震用メモリコントローラ１１が読み出して、ＥＦＭ／ＣＩＲＣのエンコーダ／デコーダ１０に出力し、ＥＦＭ／ＣＩＲＣのエンコーダ／デコーダ１０ではＥＦＭとＣＩＲＣの変調を行って該出力を磁気ヘッド駆動回路７に出力する。磁気ヘッド駆動回路７は磁気ヘッド９に流す電流の向きを記録するＥＦＭ信号データに対応させて磁気ヘッド９に垂直磁界を発生させる。同時に光ピックアップ２からシステムコントローラ１３の制御によってサーボ制御回路８を介して出力されたレーザが出力されて光磁気ディスク１ｂに照射され、上記垂直磁界とレーザの相互作用によってディジタル信号が記録される。
【００１８】
なお、光ピックアップ２の送り移動のための制御信号がシステムコントローラ１３からサーボ制御回路８を介して送りモータ６に加えられる。また、システムコントローラ１３はマイクロコンピュータ等からなり、サーボ制御回路８、ＥＦＭ／ＣＩＲＣのエンコーダ／デコーダ１０、耐震用メモリコントローラ１１の各部とバスを介して接続されて制御信号の授受を行い、記録、再生、光ピックアップ２のサーチ動作等の全コントロールの制御と、記録時／再生時／編集時のＭＤ１の管理情報エリアのアドレス情報等の検出／書き換え制御等をプログラムの実行によって行っている。
【００１９】
入力装置１８は使用者の押しボタン等のキー操作でシステムコントローラ１１にメカコントロール信号その他の命令制御信号を送る。
【００２０】
表示装置１７はシステムコントローラ１３からの種々のデータをドライバーを介して表示する液晶等の表示装置である。
【００２１】
不揮発性メモリ２０は書き換え可能なフラッシュＥＰＲＯＭ等のメモリチップ或いはシステムコントローラ１３内のマイクロコンピュータ内蔵のＥＥＰＲＯＭやフラッシュＥＰＲＯＭの余剰記録領域を利用することができる。
【００２２】
故障状態検出手段１９は上述の各種メカ部分や各回路ブロックの制御・応答信号から故障の発生を検出するものであり、システムコントローラ１３内に内蔵されていても良い。
【００２３】
次に、図２及び図３を基に故障状態確認のためのマイクロコンピュータによる処理手順を説明する。
【００２４】
前提として、使用者による外部から入力装置１８への複数種の入力操作に一対一に対応する入力コード（ａ、ｂ、ｃ、ｄ、ｅ、ｆ、ｇ、ｈ、・・）と、外部から所定時間（例えば５秒間）内に２回以上繰り返して同じ入力操作が行われた時の当該繰り返し入力操作を特定する繰り返し入力コード（ａ′、ｂ′、ｃ′、ｄ′、ｅ′、ｆ′、ｇ′、ｈ′、・・）と、前記入力操作の結果である装置本体の正常遷移後の状態に対応する状態コード（Ａ、Ｂ、Ｃ、Ｄ、Ｅ、Ｆ、Ｇ、Ｈ、・・）と、装置本体が正常に動作しない故障状態を特定する故障コード（ＥＲ１、ＥＲ２、ＥＲ３、・・）と、を設け、前記入力装置１８への入力操作が行われた場合に前記入力コード（ａ、ｂ、ｃ、ｄ、ｅ、ｆ、ｇ、ｈ、・・）又は前記繰り返し入力コード（ａ′、ｂ′、ｃ′、ｄ′、ｅ′、ｆ′、ｇ′、ｈ′、・・）と、正常遷移後の状態コード（Ａ、Ｂ、Ｃ、Ｄ、Ｅ、Ｆ、Ｇ、Ｈ、・・）又は故障検出後の当該故障コード（ＥＲ１、ＥＲ２、ＥＲ３、・・）と、を生成するとともに一対一に対応させて各々不揮発性メモリ２０の入力コード記録エリア２１と状態コードエリア２２にサイクリックに記録する履歴記録手段（図３参照）を備える。
【００２５】
外部から使用者がスイッチ入力でメカコントロール信号等を発生させるスイッチ入力操作をすると（ステップＳ１）、同一スイッチの比較的短い所定時間（例えば５秒間）内での繰り返し操作が行われたか否かを検知し（ステップＳ２）、Ｙｅｓであれば繰り返し入力コードａ′、ｂ′、ｃ′・・を発生させる（ステップＳ３）とともに繰り返し入力フラッグを発生させ（ステップＳ４）、Ｎｏであれば入力操作に対応した入力コードａ、ｂ、ｃ、・・を発生させて（ステップＳ５）不揮発性メモリ２０の入力コード記録エリア２１に記録する（ステップＳ６）。
【００２６】
次に、故障状態の発生の有無を検知したか否かを判定し（ステップＳ７）、Ｙｅｓであれば故障コードＥＲ１、ＥＲ２、・・を発生させて（ステップＳ８）不揮発性メモリ２０の状態コードエリア２２に入力コードａ、ｂ、ｃ、・・と対応させてサイクリックに記録する（ステップＳ９）。Ｎｏ（故障無し）であれば次に繰り返し入力フラッグの発生の有無を調べて（ステップＳ１０）有れば以後の新たな入力操作による入力コード、繰り返し入力コード、状態コード、故障コードの記録を中止し（ステップＳ１１）、繰り返し入力フラッグが無ければ正常な遷移後の状態となって（ステップＳ１２）、状態に対応した状態コードＡ、Ｂ、Ｃ、・・を発生させて（ステップＳ１３）、不揮発性メモリ２０の状態コード記録エリア２２に記録する（ステップＳ１４）。
【００２７】
故障解析時には、不揮発性メモリ２０の入力コード記録エリア２１と状態コード記録エリア２２から記録された最新のコードを読み出し（ステップＳ１５）、表示装置１７に文字表示する（ステップＳ１６）。
【００２８】
以上のフローによる各ステップＳ１〜Ｓ１６の制御はシステムコントローラ１３のマイクロコンピュータによる故障状態検出手段１９、不揮発性メモリ２０、表示装置１７、入力装置１８に対するソフト制御によって行われる。
【００２９】
上記フローによって不揮発性メモリ２０の入力コード記録エリア２１と状態コード記録エリア２２には、正常時には図３の（ａ）のように最新の入力コード（ａ、ｂ、ｃ、・・）とそれに対応する遷移後の状態コード（Ａ、Ｂ、Ｃ、・・）がサイクリックに上書きされる。
【００３０】
一方、使用者が故障と勘違いして同一入力操作を短時間内に繰り返した場合は図３の（ｂ）のように最新の入力コードに例えば繰り返し入力コードａ′と遷移後の正常な状態コードＡが記録された状態に保持されているので、故障解析時に、使用者が動作に疑問を持ったこと（誤認識）を推測できる。
【００３１】
また、真に故障状態が発生した時は、例えば図３の（ｃ）のように故障発生直前の入力コードａと故障コードＥＲ３が記録された状態が保持されているので、故障解析時に使用者の特定の入力操作とそれによる故障発生の過程が明らかとなる。
【００３２】
念のために付言すれば、以上の説明はＭＤ記録再生装置の例であるが、勿論本発明の故障状態確認機能付オーディオ・ビジュアル装置はこれに限られるものではない。
【図面の簡単な説明】
【００３３】
【図１】本発明の故障状態確認機能付オーディオ・ビジュアル装置の典型としてのＭＤ記録再生装置のブロック回路図の例である。
【図２】本発明に係る故障状態確認機能の具体的形態のフローチャート例である。
【図３】本発明に係る不揮発性メモリへの記録内容を説明するための図である。
【符号の説明】
【００３４】
１３    システムコントローラ
１７    表示装置
１８    入力装置
１９    故障状態検出手段
２０    不揮発性メモリ
２１    入力コード記録エリア
２２    状態コード記録エリア
３０    故障状態確認機能付ＭＤ記録再生装置
Ａ、Ｂ、Ｃ、・・    状態コード
ＥＲ１、ＥＲ２、ＥＲ３、・・    故障コード
ａ、ｂ、ｃ、・・    入力コード
ａ′、ｂ′、ｃ′、・・    複数回入力コード
【図１】
2005092277.tif 000003
【図２】
2005092277.tif 000004
【図３】
2005092277.tif 000005